(57)【要約】【課題】無線基地局装置内の空きリソースを有効に利用する。【解決手段】チャネルカード＃０〜＃４の無線リソースを通常割当領域（ＤＳＰブロック（＃０，＃１））と再配置対象領域（ＤＳＰブロック（＃２））に分けて管理を行う。そして、チャネルカード（＃１）のＤＳＰブロック（＃２）に割り当てられている無線チャネル▲１▼▲２▼を、チャネルカード（＃０）のＤＳＰブロック（＃０）の空き領域へ追い出し、無線チャネル▲３▼をチャネルカード（＃１）のＤＳＰブロック（＃０）の空き領域へ追い出すことで、チャネルカード（＃１）のＤＳＰブロック（＃２）に１ＤＳＰ分の空きを作る。【選択図】      図１１
2004336112.tif 000002
【特許請求の範囲】
【請求項１】
Ｗ−ＣＤＭＡ無線方式の無線基地局装置において、
複数個の無線リソースを備える複数枚のチャネルカードと、
前記複数枚のチャネルカードの各々の複数個の無線リソースを通常割当領域と再配置対象領域とに分けて管理を行い、前記再配置対象領域に割り当てられた無線リソースを、前記通常割当領域の空き領域へ追い出す再配置処理を実行する制御ブロックとを有することを特徴とする無線基地局装置。
【請求項２】
前記制御ブロックは、前記複数枚のチャネルカードの中から１枚の再配置対象チャネルカードを設定するとともに、前記複数枚のチャネルカードの中から１枚以上の追い出し先対象チャネルカードを設定し、前記再配置対象チャネルカードの前記再配置対象領域に割り当てられた無線リソースを、前記追い出し先対象チャネルカードの前記通常割当領域の空き領域へ追い出す再配置処理を実行する、請求項１に記載の無線基地局装置。
【請求項３】
前記制御ブロックは、前記複数枚のチャネルカードの各々を最若番もしくは最老番のチャネルカードから順番に前記再配置対象チャネルカードとして設定し、あるチャネルカードを前記再配置対象チャネルカードとして設定したことで所定の条件を満たすこととなった時点で前記再配置処理を実行する、請求項２に記載の無線基地局装置。
【請求項４】
前記制御ブロックは、前記再配置対象チャネルカード位置よりも所定枚数分若番方向もしくは老番方向のチャネルカードから再配置対象チャネルカードまでを前記追い出し先対象チャネルカードとして設定する、請求項３に記載の無線基地局装置。
【請求項５】
前記制御ブロックは、前記再配置対象チャネルカードが最若番もしくは最老番である場合、前記再配置対象チャネルカードのみを前記追い出し先対象チャネルカードとして設定する、請求項４に記載の無線基地局装置。
【請求項６】
前記制御ブロックは、前記再配置対象チャネルカード位置の若番方向もしくは老番方向に所定枚数分のチャネルカードが無い場合、前記複数枚のチャネルカードの中の最若番もしくは最老番のチャネルカードから前記再配置対象チャネルカードまでを前記追い出し先対象チャネルカードとして設定する、請求項４に記載の無線基地局装置。
【請求項７】
前記制御ブロックは、前記再配置対象チャネルカードの前記再配置対象領域に割り当てられた無線リソースがあり、かつ、前記追い出し先対象チャネルカードの前記通常割当領域に、前記再配置対象チャネルカードの前記再配置対象領域に割り当てられた無線リソース分の空き領域がある場合、前記所定の条件を満たしていると判断して前記再配置処理を実行する、請求項３から６のいずれか１項に記載の無線基地局装置。
【請求項８】
前記制御ブロックは、前記追い出し先対象チャネルカードの各々を最若番もしくは最老番のチャネルカードから順番に前記通常割当領域に空き領域があるかを検索し、検索した前記通常割当領域の空き領域へ、優先的に、前記再配置対象チャネルカードの前記再配置対象領域に割り当てられた無線リソースを追い出す、請求項７に記載の無線基地局装置。
【請求項９】
前記制御ブロックは、前記所定の条件を満たしていると判断して前記再配置処理を実行した場合、その時点で前記再配置対象チャネルカードとして設定されているチャネルカードから老番方向もしくは若番方向の次のチャネルカードを前記再配置対象チャネルカードとして設定する、請求項７または８に記載の無線基地局装置。
【請求項１０】
前記制御ブロックは、前記再配置対象チャネルカードの前記再配置対象領域に割り当てられた無線リソースがない場合、前記所定の条件を満たしていないと判断して前記再配置処理を実行しない、請求項３から６のいずれか１項に記載の無線基地局装置。
【請求項１１】
前記制御ブロックは、前記追い出し先対象チャネルカードの前記通常割当領域に、前記再配置対象チャネルカードの前記再配置対象領域に割り当てられた無線リソース分の空きがない場合、前記所定の条件を満たしていないと判断して前記再配置処理を実行しない、請求項３から６のいずれか１項に記載の無線基地局装置。
【請求項１２】
前記制御ブロックは、前記所定の条件を満たしていないと判断して前記再配置処理を実行しない場合、その時点で前記再配置対象チャネルカードに設定されているチャネルカードから老番方向もしくは若番方向の次のチャネルカードを前記再配置対象チャネルカードとして新たに設定する、請求項１０または１１に記載の無線基地局装置。
【請求項１３】
Ｗ−ＣＤＭＡ無線方式の無線基地局装置による無線リソース最適化処理方法において、
複数枚のチャネルカードの各々の複数個の無線リソースを通常割当領域と再配置対象領域とに分けて管理を行い、
前記再配置対象領域に割り当てられた無線リソースを、前記通常割当領域の空き領域へ追い出す再配置処理を実行することを特徴とする無線リソース最適化処理方法。
【請求項１４】
前記複数枚のチャネルカードの中から１枚の再配置対象チャネルカードを設定するとともに、前記複数枚のチャネルカードの中から１枚以上の追い出し先対象チャネルカードを設定し、
前記再配置対象チャネルカードの前記再配置対象領域に割り当てられた無線リソースを、前記追い出し先対象チャネルカードの前記通常割当領域の空き領域へ追い出す再配置処理を実行する、請求項１３に記載の無線リソース最適化処理方法。
【請求項１５】
前記複数枚のチャネルカードの各々を最若番もしくは最老番のチャネルカードから順番に前記再配置対象チャネルカードとして設定し、あるチャネルカードを前記再配置対象チャネルカードとして設定したことで所定の条件を満たすこととなった時点で前記再配置処理を実行する、請求項１４に記載の無線リソース最適化処理方法。
【請求項１６】
前記再配置対象チャネルカード位置よりも所定枚数分若番方向もしくは老番方向のチャネルカードから再配置対象チャネルカードまでを前記追い出し先対象チャネルカードとして設定する、請求項１５に記載の無線リソース最適化処理方法。
【請求項１７】
前記再配置対象チャネルカードが最若番もしくは最老番である場合、前記再配置対象チャネルカードのみを前記追い出し先対象チャネルカードとして設定する、請求項１６に記載の無線リソース最適化処理方法。
【請求項１８】
前記再配置対象チャネルカード位置の若番方向もしくは老番方向に所定枚数分のチャネルカードが無い場合、前記複数枚のチャネルカードの中の最若番もしくは最老番のチャネルカードから前記再配置対象チャネルカードまでを前記追い出し先対象チャネルカードとして設定する、請求項１６に記載の無線リソース最適化処理方法。
【請求項１９】
前記再配置対象チャネルカードの前記再配置対象領域に割り当てられた無線リソースがあり、かつ、前記追い出し先対象チャネルカードの前記通常割当領域に、前記再配置対象チャネルカードの前記再配置対象領域に割り当てられた無線リソース分の空き領域がある場合、前記所定の条件を満たしていると判断して前記再配置処理を実行する、請求項１５から１８のいずれか１項に記載の無線リソース最適化処理方法。
【請求項２０】
前記追い出し先対象チャネルカードの各々を最若番もしくは最老番のチャネルカードから順番に前記通常割当領域に空き領域があるかを検索し、検索した前記通常割当領域の空き領域へ、優先的に、前記再配置対象チャネルカードの前記再配置対象領域に割り当てられた無線リソースを追い出す、請求項１９に記載の無線リソース最適化処理方法。
【請求項２１】
前記所定の条件を満たしていると判断して前記再配置処理を実行した場合、その時点で前記再配置対象チャネルカードとして設定されているチャネルカードから老番方向もしくは若番方向の次のチャネルカードを前記再配置対象チャネルカードとして設定する、請求項１９または２０に記載の無線リソース最適化処理方法。
【請求項２２】
前記再配置対象チャネルカードの前記再配置対象領域に割り当てられた無線リソースがない場合、前記所定の条件を満たしていないと判断して前記再配置処理を実行しない、請求項１５から１８のいずれか１項に記載の無線リソース最適化処理方法。
【請求項２３】
前記追い出し先対象チャネルカードの前記通常割当領域に、前記再配置対象チャネルカードの前記再配置対象領域に割り当てられた無線リソース分の空きがない場合、前記所定の条件を満たしていないと判断して前記再配置処理を実行しない、請求項１５から１８のいずれか１項に記載の無線リソース最適化処理方法。
【請求項２４】
前記所定の条件を満たしていないと判断して前記再配置処理を実行しない場合、その時点で前記再配置対象チャネルカードに設定されているチャネルカードから老番方向もしくは若番方向の次のチャネルカードを前記再配置対象チャネルカードとして新たに設定する、請求項２２または２３に記載の無線リソース最適化処理方法。
【発明の詳細な説明】
【０００１】
【発明の属する技術分野】
本発明は、Ｗ−ＣＤＭＡ無線方式の無線基地局装置、その無線基地局装置による無線リソース最適化処理方法に関する。
【０００２】
【従来の技術】
Ｗ−ＣＤＭＡ無線方式の無線基地局装置は、複数の無線送信機能部（以下、チャネルカードと称する）と、無線チャネルを送信するためにチャネルカードの各々の制御を行う制御機能部（以下、制御カードと称する）とを有している。
【０００３】
さらに、無線基地局装置は、チャネルカードの各々の内部に複数の無線送信機能単位（以下、無線リソースと称する）を有しており、この無線リソースを使用して無線チャネルを送受信している。
【０００４】
ところで、無線チャネルには、１つの無線リソース分の処理能力を必要とするものや、複数の無線リソース分の処理能力を必要とするものがあり、これらは混在して存在し得る。そのため、無線基地局装置内の無線リソースを無線チャネルに割り当てる際には、その無線チャネルが必要とする処理能力分の無線リソースを当該無線チャネルに割り当てなければならず、そのためのリソース割当方法が一部で開示されている（例えば、特許文献１参照）。
【０００５】
【特許文献１】
特表２００２−５１３２５６号公報
【０００６】
【発明が解決しようとする課題】
しかしながら、多種多様な無線チャネルへの無線リソースの割り当て、解放が継続的に行われると、無線基地局装置内のチャネルカードには空きリソースが点在する状態となる。
【０００７】
そのため、複数の無線リソース分の処理能力を必要とする無線チャネルに無線リソースを割り当てようとする場合に、無線基地局装置全体としては十分な空きリソースがあったとしても、その空きリソースが無線基地局装置内に点在しているために実際に割り当てができないという問題が発生する。
【０００８】
そこで、本発明の目的は、無線基地局装置内の空きリソースを有効に利用することができるＷ−ＣＤＭＡ無線方式の無線基地局装置、その無線基地局装置による無線リソース最適化処理方法を提供することにある。
【０００９】
【課題を解決するための手段】
上記目的を達成するために本発明のＷ−ＣＤＭＡ無線方式の無線基地局装置は、複数個の無線リソースを備える複数枚のチャネルカードと、複数枚のチャネルカードの各々の複数個の無線リソースを通常割当領域と再配置対象領域とに分けて管理を行い、再配置対象領域に割り当てられた無線リソースを、通常割当領域の空き領域へ追い出す再配置処理を実行する制御ブロックとを有することを特徴としている。
【００１０】
この構成によれば、無線基地局装置内に空きリソースを有効に利用することが可能となるため、例えば、複数の無線リソース分の処理能力を必要とする無線チャネルに無線リソースを割り当てようとする際に、無線基地局装置内に空きリソースが点在していたとしても、その無線チャネルに必要な複数の無線リソースを割り当てることが可能となる。
【００１１】
また、制御ブロックは、複数枚のチャネルカードの中から１枚の再配置対象チャネルカードを設定するとともに、複数枚のチャネルカードの中から１枚以上の追い出し先対象チャネルカードを設定し、再配置対象チャネルカードの再配置対象領域に割り当てられた無線リソースを、追い出し先対象チャネルカードの通常割当領域の空き領域へ追い出す再配置処理を実行することとしても良い。
【００１２】
例えば、再配置対象チャネルカードの設定に際し、制御ブロックは、複数枚のチャネルカードの各々を最若番もしくは最老番のチャネルカードから順番に再配置対象チャネルカードとして設定し、あるチャネルカードを再配置対象チャネルカードとして設定したことで所定の条件を満たすこととなった時点で再配置処理を実行することとしても良い。
【００１３】
また、追い出し先対象チャネルカードの設定に際し、制御ブロックは、再配置対象チャネルカード位置よりも所定枚数分若番方向もしくは老番方向のチャネルカードから再配置対象チャネルカードまでを追い出し先対象チャネルカードとして設定することとしても良い。ただし、制御ブロックは、再配置対象チャネルカードが最若番もしくは最老番である場合、再配置対象チャネルカードのみを追い出し先対象チャネルカードとして設定し、制御ブロックは、再配置対象チャネルカード位置の若番方向もしくは老番方向に所定枚数分のチャネルカードが無い場合、複数枚のチャネルカードの中の最若番もしくは最老番のチャネルカードから再配置対象チャネルカードまでを追い出し先対象チャネルカードとして設定することになる。
【００１４】
また、制御ブロックは、再配置対象チャネルカードの再配置対象領域に割り当てられた無線リソースがあり、かつ、追い出し先対象チャネルカードの通常割当領域に、再配置対象チャネルカードの再配置対象領域に割り当てられた無線リソース分の空き領域がある場合、所定の条件を満たしていると判断して再配置処理を実行することとしても良い。この場合、制御ブロックは、追い出し先対象チャネルカードの各々を最若番もしくは最老番のチャネルカードから順番に通常割当領域に空き領域があるかを検索し、検索した通常割当領域の空き領域へ、優先的に、再配置対象チャネルカードの再配置対象領域に割り当てられた無線リソースを追い出すこととしても良い。また、制御ブロックは、所定の条件を満たしていると判断して再配置処理を実行した場合、その時点で再配置対象チャネルカードとして設定されているチャネルカードから老番方向もしくは若番方向の次のチャネルカードを再配置対象チャネルカードとして設定することとしても良い。
【００１５】
また、制御ブロックは、再配置対象チャネルカードの再配置対象領域に割り当てられた無線リソースがない場合、所定の条件を満たしていないと判断して再配置処理を実行しないこととしても良い。さらに、制御ブロックは、追い出し先対象チャネルカードの通常割当領域に、再配置対象チャネルカードの再配置対象領域に割り当てられた無線リソース分の空きがない場合、所定の条件を満たしていないと判断して再配置処理を実行しないこととしても良い。この場合、制御ブロックは、所定の条件を満たしていないと判断して再配置処理を実行しない場合、その時点で再配置対象チャネルカードに設定されているチャネルカードから老番方向もしくは若番方向の次のチャネルカードを再配置対象チャネルカードとして新たに設定することとしても良い。
【００１６】
上記目的を達成するために本発明のＷ−ＣＤＭＡ無線方式の無線基地局装置による無線リソース最適化処理方法は、複数枚のチャネルカードの各々の複数個の無線リソースを通常割当領域と再配置対象領域とに分けて管理を行い、再配置対象領域に割り当てられた無線リソースを、通常割当領域の空き領域へ追い出す再配置処理を実行することを特徴としている。
【００１７】
【発明の実施の形態】
以下に、本発明の実施の形態について図面を参照して説明する。
【００１８】
図１は、本発明の一実施形態のＷ−ＣＤＭＡ無線方式の無線基地局装置の構成図である。
【００１９】
図１を参照すると、本実施形態の無線基地局装置は、複数枚のチャネルカード（＃０〜＃Ｎ）１００〜１０Ｎと、チャネルカード（＃０〜＃Ｎ）１００〜１０Ｎの各々の制御を行う制御カード３０とを有している。さらに、チャネルカード（＃０〜＃Ｎ）１００〜１０Ｎの各々は、複数個のＤＳＰ（Ｄｉｇｉｔａｌ  Ｓｉｇｎａｌ  Ｐｒｏｃｅｓｓｏｒ）ブロック（＃０〜＃Ｍ）２００〜２０Ｍを有している。
【００２０】
ＤＳＰブロック（＃０〜＃Ｍ）２００〜２０Ｍの各々は、Ｋユーザ分の無線リソースを収容することができ、トータルシンボルレートＬ［ｋｓｐｓ（ｋｉｌｏ  ｓｙｍｂｏｌ  ｐｅｒ  ｓｅｃｏｎｄ）］分の処理を行うことができる。なお、ＤＳＰブロック（＃０〜＃Ｍ）２００〜２０Ｍの各々は、「通常割当領域」「再配置対象領域」のいずれかに任意に設定可能である。
【００２１】
図２は、図１に示したチャネルカード（＃０〜＃Ｎ）１００〜１０Ｎの構成の具体例を示す図である。
【００２２】
図２を参照すると、チャネルカード（＃０〜＃Ｎ）１００〜１０Ｎの処理能力は、「ユーザ」と「モデム」として定義されている。「ユーザ」とは、各無線チャネルの処理能力単位のことをいう。図２の例では、１ＤＳＰブロックあたり１６無線チャネル分の処理能力を有している。一方、「モデム」とは、決められたシンボルレート（情報量）による処理能力単位のことをいう。図２の例では、モデムが２４分割されており、各ユーザ毎に必要なシンボルレート分の分割モデムが割り当てられている。例えば、１モデムあたり６０［ｋｓｐｓ］の処理能力を有し、ある無線チャネルが２４０［ｋｓｐｓ］の処理能力を必要としている場合、この無線チャネルへ対して４モデムを割り当てることにより送受信を行う。
【００２３】
本実施形態においては、無線基地局装置内の限られた無線リソースを多種多様な無線チャネルに割り当てることにより送受信処理を行うこととし、無線チャネルに無線リソースを非固定的に割り当てる。
【００２４】
以下に、図１に示した無線基地局装置による無線リソース最適化処理方法について説明する。ここでは、説明簡易化のために、無線基地局装置が以下のような構成であるものと仮定し、説明を行う。
・無線基地局装置内に４枚のチャネルカード（チャネルカード（＃０〜＃４）１００〜１０４）がある
・チャネルカード（＃０〜＃４）１００〜１０４の各々の内部に３個のＤＳＰブロック（ＤＳＰブロック（＃０〜＃２）２００〜２０２）がある
・ＤＳＰブロック（＃０，＃１）２００，２０１が通常割当領域であり、ＤＳＰブロック（＃２）２０２が再配置対象領域である
・ＤＳＰブロック（＃０〜＃２）２００〜２０２の各々の割り当て可能ユーザ数が１６であり、モデム（最少処理単位）が２４である
・１モデムの処理能力が６０［ｋｓｐｓ］である
即ち、上記の構成においては、チャネルカード（＃０〜＃４）１００〜１０４の各々は、１６ユーザ×３ＤＳＰブロック＝４８ユーザ分の処理能力があり、６０［ｋｓｐｓ］×２４モデム×３ＤＳＰブロック＝４３２０［ｋｓｐｓ］分の処理能力があることになる。
【００２５】
図３は、図１に示したチャネルカード（＃０〜＃Ｎ）１００〜１０Ｎの無線リソース割り当ての具体例を示す図であり、１枚のチャネルカードに複数の多様なシンボルレートのユーザが割り当てられている例を示している。
【００２６】
図３を参照すると、無線基地局装置内のあるチャネルカードのＤＳＰブロック（＃０〜＃２）２００〜２０２に空きリソースが点在しており、これらの空きリソースを加算すると１ＤＳＰブロック分以上の空きモデムとなる。
【００２７】
図３と同様の例として、無線基地局装置内のあるチャネルカードの空きリソースを加算しても１ＤＳＰブロック分以上の空きモデムとはならないが、無線基地局装置内の他のチャネルカードの空きリソースも併せて加算すると、１ＤＳＰブロック分以上の空きモデムとなる場合がある。
【００２８】
しかしながら、上記のような状態では、無線基地局装置全体で１ＤＳＰブロック分以上の空きモデムが存在するにもかかわらず、無線基地局装置内に空きリソースが点在しているため、１ＤＳＰブロック分の処理能力を必要とする新規無線チャネルに無線リソースを割り当てることができない。
【００２９】
そこで、制御カード３０は、チャネルカード（＃０〜＃４）１００〜１０４の各々の無線リソースを通常割当領域（ＤＳＰブロック（＃０，＃１）２００，２０１）と再配置対象領域（ＤＳＰブロック（＃２）２０２）に分けて管理し、所定のイベントをトリガにして、以下に詳細に説明する無線リソース再配置処理方法を開始し、所定の条件を満たした場合に、再配置対象領域（ＤＳＰブロック（＃０，＃１）２００，２０１）に割り当てられた無線リソースを、通常割当領域（ＤＳＰブロック（＃０，＃１）２００，２０１）の空き領域へ追い出す再配置処理を実行することにより、無線基地局装置内に点在している空きリソースを集約させることとしている。なお、所定のイベントとは、例えば、１ＤＳＰブロック分の処理能力を必要とする新規無線チャネルに無線リソースを割り当てることが必要となったこと、無線リソースを解放するとき等である。
【００３０】
以下に、図１に示した無線基地局装置による無線リソース最適化処理方法について、図４〜図６のフローチャートを参照して説明する。
【００３１】
図４は、図１に示した無線基地局装置による無線リソース再配置処理方法を説明するフローチャートである。
【００３２】
図４を参照すると、まず、制御カード３０は、例えば、新規無線チャネルに無線リソースを割り当てることが必要となったことをトリガにして、チャネルカード（＃０〜＃４）１００〜１０４のうち、再若番（もしくは再老番）のチャネルカードを再配置対象チャネルカードとして設定する。
【００３３】
そして、制御カード３０は、新規無線チャネルに割り当てる無線リソースとして、再配置対象チャネルカードの再配置対象領域（ＤＳＰブロック（＃２）２０２）に割り当てられている無線リソースを検索する（ステップ４０１）。この無線リソースは、再配置処理時に通常割当領域に追い出される無線リソースであり、以下、再配置対象リソースと称する。
【００３４】
図５は、図４に示したステップ４０１の再配置対象リソースの検索処理を詳細に説明するフローチャートである。
【００３５】
図５を参照すると、制御カード３０は、再若番（もしくは再老番）の再配置対象チャネルカードの再配置対象領域に割り当てられている無線リソースを検索できれば（ステップ５０１のＹＥＳ）、その無線リソースを再配置リストに登録する（ステップ５０２）。そして、再配置対象チャネルカードの再配置対象領域の全ての無線リソースを検索した場合には（ステップ５０３のＹＥＳ）、実際に追い出すリソース数を決定し（ステップ５０４）、処理を終了する。一方、再配置対象チャネルカードの再配置対象領域の全ての無線リソースを検索していない場合には（ステップ５０３のＮＯ）、次の無線リソースを検索するため（ステップ５０５）、ステップ５０１の処理に戻る。
【００３６】
再度図４を参照すると、制御カード３０は、ステップ４０１にて再配置対象リソースを検索できない場合には（ステップ４０２のＮＯ）、老番方向（もしくは若番方向）の次のチャネルカードを再配置対象チャネルカードとして設定し（ステップ４０７）、処理を終了する。
【００３７】
一方、制御カード３０は、ステップ４０１にて再配置対象リソースを検索できた場合には（ステップ４０２のＹＥＳ）、再配置対象チャネルカード位置よりもＸ枚分若番方向（もしくは老番方向）のチャネルカードから再配置対象チャネルカードまでを追い出し先対象チャネルカードとして設定する。
【００３８】
そして、制御カード３０は、再配置対象リソースの追い出し先として、まず、追い出し先対象チャネルカードの中で再配置対象チャネルカード位置よりもＸ枚分若番方向（もしくは老番方向）のチャネルカードの通常割当領域（ＤＳＰブロック（＃０，＃１）２００，２０１）の無線リソースを検索する（ステップ４０３）。この無線リソースは、再配置処理時に再配置対象リソースの追い出し先となる無線リソースであり、以下、追い出し先対象リソースと称する。
【００３９】
図６は、図４に示したステップ４０３における追い出し先対象リソースの検索処理を詳細に説明するフローチャートである。
【００４０】
図６を参照すると、制御カード３０は、再配置対象チャネルカード位置よりもＸ枚分若番方向（もしくは老番方向）のチャネルカードの通常割当領域に空きがあり（ステップ６０１のＹＥＳ）、かつ、再配置リストに登録した再配置対象リソースをその空き領域に割り当て可能である場合には（ステップ６０２のＹＥＳ）、そのチャネルカードには追い出し先対象リソースを割り当て可能な空きリソースがあるとして処理を終了する。一方、ステップ６０１，６０２のいずれかがＮＯである場合、そのチャネルカードの通常割当領域を全て検索していれば（ステップ６０３のＹＥＳ）、そのチャネルカードには追い出し先対象リソースを割り当て可能な空きリソースがないとして処理を終了する。一方、そのチャネルカードの通常割当領域を全て検索していない場合には（ステップ６０３のＮＯ）、次の無線リソースを検索するため（ステップ６０４）、ステップ６０１の処理に戻る。
【００４１】
再度図４を参照すると、制御カード３０は、ステップ４０３にて追い出し先対象リソースとして空きリソースを検索できない場合には（ステップ４０４のＮＯ）、老番方向（もしくは若番方向）の次のチャネルカードを再配置対象チャネルカードとして設定し（ステップ４０７）、処理を終了する。
【００４２】
一方、制御カード３０は、ステップ４０３にて追い出し先対象リソースとして空きリソースを検索できた場合には（ステップ４０４のＹＥＳ）、再配置対象リソースを追い出し、追い出した再配置対象リソースを追い出し先対象リソースに割り当てる再配置処理を行う（ステップ４０５）。なお、再配置処理は、片方向（若番方向もしくは老番方向）にのみ行うことが可能であるとする。
【００４３】
その後、制御カード３０は、再配置対象リソースの全ての追い出しが完了した場合は（ステップ４０６のＹＥＳ）、老番方向（もしくは若番方向）の次のチャネルカードを再配置対象チャネルカードとして設定し（ステップ４０７）、処理を終了する。
【００４４】
一方、制御カード３０は、再配置対象リソースの全ての追い出しが完了していない場合は（ステップ４０６のＮＯ）、ステップ４０３の処理に戻り、追い出し先対象チャネルカードのうち老番方向（もしくは若番方向）の次のチャネルカードについてステップ４０３〜４０６の処理を行う。
【００４５】
以降、制御カード３０は、再配置対象リソースの全ての追い出しが完了するまで、ステップ４０３〜４０６の処理を繰り返す。
【００４６】
なお、制御カード３０は、ステップ４０３〜４０６において、再配置対象チャネルカードが最若番（もしくは最老番）である場合には、再配置対象チャネルカードのみを追い出し先対象チャネルカードとして設定する。また、再配置対象チャネルカード位置の若番方向（もしくは老番方向）にＸ枚分のチャネルカードが無い場合には、無線基地局装置内の最若番（もしくは最老番）のチャネルカードから再配置対象チャネルカードまでを追い出し先対象チャネルカードとして設定する。
【００４７】
以下に、図１に示した無線基地局装置による無線リソース最適化処理方法について、図７〜図１０の模式図を参照して説明する。ここでは、再配置対象リソース検索処理時には、まず、再若番のチャネルカード（＃０）１００を再配置対象チャネルカードとして設定し、以降、老番方向のチャネルカードを順次再配置対象チャネルカードとして設定するものとする。また、追い出し先対象リソース検索処理時には、再配置対象チャネルカード位置よりも２枚分若番方向のチャネルカードから再配置対象チャネルカードまでを追い出し先対象チャネルカードとして設定するものとする。
【００４８】
図７は、図１に示した無線基地局装置による無線リソース最適化処理方法を説明する模式図であり、再配置処理を実行しない例を示している。
【００４９】
図７を参照すると、制御カード３０は、例えば、新規無線チャネルに無線リソースを割り当てることが必要となったことをトリガにして、最若番のチャネルカード（＃０）１００を再配置対象チャネルカードとして設定する。
【００５０】
チャネルカード（＃０）１００を再配置対象チャネルカードとして設定した場合、チャネルカード（＃０）１００が最若番であるため、追い出し先対象チャネルカードはチャネルカード（＃０）１００のみである。
【００５１】
このとき、チャネルカード（＃０）１００において、再配置対象領域（ＤＳＰブロック（＃２）２０２）に再配置対象リソースが割り当てられているが、通常割当領域（ＤＳＰブロック（＃０，＃１）２００，２０１）に空きが無い。
【００５２】
そのため、制御カード３０は、無線リソース再配置処理を行わずに処理を終了し、老番方向の次のチャネルカード（＃１）１０１を再配置対象チャネルカードとして設定とし、図８の処理に移行する。
【００５３】
図８は、図１に示した無線基地局装置による無線リソース最適化処理方法を説明する模式図であり、再配置処理を実行しない他の例を示している。
【００５４】
図８を参照すると、チャネルカード（＃１）１０１を再配置対象チャネルカードとして設定した場合、チャネルカード（＃１）１０１の若番方向に２枚分のチャネルカードが無いため、追い出し先対象チャネルカードはチャネルカード（＃０，＃１）１００，１０１である。
【００５５】
このとき、チャネルカード（＃１）１０１において、通常割当領域（ＤＳＰブロック（＃０，＃１）２００，２０１）に空きはあるが、再配置対象領域（ＤＳＰブロック（＃２）２０２）に再配置対象リソースが割り当てられていない。
【００５６】
そのため、制御カード３０は、無線リソース再配置処理を行わずに処理を終了し、老番方向の次のチャネルカード（＃２）１０２を再配置対象チャネルカードとして設定とし、図９の処理に移行する。
【００５７】
図９は、図１に示した無線基地局装置による無線リソース最適化処理方法を説明する模式図であり、再配置処理を実行する例を示している。
【００５８】
図９を参照すると、チャネルカード（＃２）１０２を再配置対象チャネルカードとして設定した場合、追い出し先対象チャネルカードはチャネルカード（＃０〜＃２）１００〜１０２である。
【００５９】
このとき、チャネルカード（＃２）１０２において、再配置対象領域（ＤＳＰブロック（＃２）２０２）に再配置対象リソースが割り当てられており、チャネルカード（＃０〜＃２）１００〜１０２において、通常割当領域（ＤＳＰブロック（＃０，＃１）２００，２０１）に空きがある。
【００６０】
そのため、制御カード３０は、チャネルカード（＃２）１０２の再配置対象領域（ＤＳＰブロック（＃２）２０２）に割り当てられている再配置対象リソースを、チャネルカード（＃１）１０１の通常割当領域（ＤＳＰブロック（＃０）２０１）の空き領域に追い出す無線リソース再配置処理を実行し、老番方向の次のチャネルカード（＃３）１０３を再配置対象チャネルカードとして設定とする。
【００６１】
図１０は、図１に示した無線基地局装置による無線リソース最適化処理方法を説明する模式図であり、再配置処理を実行した後の例を示している。
【００６２】
図１０を参照すると、チャネルカード（＃２）１０２において、再配置対象領域（ＤＳＰブロック（＃２）２０２）に、新規無線チャネルのために１ＤＳＰブロック分の処理能力を確保することができる。
【００６３】
以下に、図１に示した無線基地局装置による無線リソース最適化処理方法の効果について、図１１の模式図を参照して説明する。ここでは、図７〜図１０と同様に、再配置対象リソース検索処理時には、まず、再若番のチャネルカード（＃０）１００を再配置対象チャネルカードとして設定し、以降、老番方向のチャネルカードを順次再配置対象チャネルカードとして設定するものとする。また、追い出し先対象リソース検索処理時には、再配置対象チャネルカード位置よりも２枚分若番方向のチャネルカードから再配置対象チャネルカードまでを追い出し先対象チャネルカードとして設定するものとする。
【００６４】
図１１は、図１に示した無線基地局装置による無線リソース最適化処理方法の効果を説明する模式図である。
【００６５】
図１１（ａ）を参照すると、チャネルカード（＃０〜＃４）１００〜１０４の全ての空きリソースを加算すれば、１ＤＳＰブロック分の処理能力的に足りているが、チャネルカード（＃０〜＃４）１００〜１０４に空きリソースが点在している状態のため、１ＤＳＰブロック分の処理能力を必要とする新規無線チャネルに無線リソースを割り当てることができない。
【００６６】
そこで、制御ブロック３０は、チャネルカード（＃０〜＃４）１００〜１０４の無線リソースを通常割当領域（ＤＳＰブロック（＃０，＃１）２００，２０１）と再配置対象領域（ＤＳＰブロック（＃２）２０２）に分けて管理し、１ＤＳＰブロック分の処理能力を必要とする新規無線チャネルに無線リソースを割り当てることが必要となったことをトリガにして、再配置対象領域に割り当てられた無線リソースを、通常割当領域の空き領域へ追い出す再配置処理を行う。
【００６７】
具体的には、図１１（ｂ）を参照すると、制御ブロック３０は、チャネルカード（＃１）１０１のＤＳＰブロック（＃２）２０２に割り当てられている無線チャネル▲１▼▲２▼を、チャネルカード（＃０）１００のＤＳＰブロック（＃０）２００へ追い出し、無線チャネル▲３▼をチャネルカード（＃１）１０１のＤＳＰブロック（＃０）２００へ追い出すことで、チャネルカード（＃１）１０１のＤＳＰブロック（＃２）２０２に空きを作っている。
【００６８】
それにより、図１１（ｃ）を参照すると、制御ブロック３０は、１ＤＳＰブロック分の処理能力を必要とする新規無線チャネルに、チャネルカード（＃１）１０１のＤＳＰブロック（＃２）２０２の無線リソースを割り当てることができるため、無線基地局装置全体として有効に空きリソースを利用することができる。
【００６９】
【発明の効果】
以上説明したように本発明においては、複数枚のチャネルカードの各々の複数個の無線リソースを通常割当領域と再配置対象領域とに分けて管理し、再配置対象領域に割り当てられた無線リソースを、通常割当領域の空き領域へ追い出す再配置処理を実行することとしているため、無線基地局装置内に空きリソースを有効に利用することができる。
【００７０】
例えば、複数の無線リソース分の処理能力を必要とする無線チャネルに無線リソースを割り当てようとする際に、無線基地局装置内に空きリソースが点在していたとしても、空きリソースを有効に利用して、その無線チャネルに必要な複数の無線リソースを割り当てることができる。
【図面の簡単な説明】
【図１】本発明の一実施形態のＷ−ＣＤＭＡ無線方式の無線基地局装置の構成図である。
【図２】図１に示したチャネルカードの構成の具体例を示す図である。
【図３】図１に示したチャネルカードの無線リソース割り当ての具体例を示す図である。
【図４】図１に示した無線基地局装置による無線リソース最適化処理方法を説明するフローチャートである。
【図５】図４に示したステップ４０１の再配置対象リソース検索処理を詳細に説明するフローチャートである。
【図６】図４に示したステップ４０３の追い出し先対象リソース検索処理を詳細に説明するフローチャートである。
【図７】図１に示した無線基地局装置による無線リソース最適化処理方法を説明する模式図であり、再配置処理を実行しない例を示している。
【図８】図１に示した無線基地局装置による無線リソース最適化処理方法を説明する模式図であり、再配置処理を実行しない他の例を示している。
【図９】図１に示した無線基地局装置による無線リソース最適化処理方法を説明する模式図であり、再配置処理を実行する例を示している。
【図１０】図１に示した無線基地局装置による無線リソース最適化処理方法を説明する模式図であり、再配置処理を実行した後の例を示している。
【図１１】図１に示した無線基地局装置による無線リソース最適化処理方法の効果を説明する模式図である。
【符号の説明】
１００〜１０Ｎ    チャネルカード
２００〜２０Ｍ    ＤＳＰブロック
３０    制御カード
【図１】
2004336112.tif 000003
【図２】
2004336112.tif 000004
【図３】
2004336112.tif 000005
【図４】
2004336112.tif 000006
【図５】
2004336112.tif 000007
【図６】
2004336112.tif 000008
【図７】
2004336112.tif 000009
【図８】
2004336112.tif 000010
【図９】
2004336112.tif 000011
【図１０】
2004336112.tif 000012
【図１１】
2004336112.tif 000013